(57)【要約】【課題】  高さ調節可能な枕の提供。【解決手段】  第１枕体及び一組の相互に対称な第２枕体を包含し、第１枕体の底部或いは上部に少なくとも一つの調節パッドが設けられ、第１枕体の高さ調節に用いられる。これにより第１枕体をある期間使用した後に、該調節パッドの数量と放置状態により第１枕体の高さ状態を改変でき、これにより側臥と仰臥の習慣の使用者に、枕の高さを調節する作用を提供する。また日々陥没する第１枕体に対して、高さを改善する作用を有する。【選択図】        図２
2007000397.tif 000002
【特許請求の範囲】
【請求項１】
枕において、
第１枕体の高さを調節するための少なくとも一つの調節パッドが設けられた第１枕体と、
該第１枕体の対称な二側に設けられて底部に少なくとも一つの調節パッドが設けられた二つの第２枕体と、
該第１枕体と該第２枕体を包囲固定し、スライドファスナーで開閉自在とされた枕カバーと、
を包含したことを特徴とする、枕。
【請求項２】
請求項１記載の枕において、第１枕体の調節パッドが第１枕体の底部に設けられたことを特徴とする、枕。
【請求項３】
請求項１記載の枕において、第１枕体の調節パッドが第１枕体の上部に設けられたことを特徴とする、枕。
【請求項４】
請求項１記載の枕において、第２枕体の調節パッドに、二側において異なる数量の調節パッドが設けられたことを特徴とする、枕。
【発明の詳細な説明】
【技術分野】
【０００１】
本発明は一種の枕に係り、特に中央に凹部が形成され、両側が対称に隆起した枕の構造に関する。
【背景技術】
【０００２】
睡眠は身体を休息させる最良の方式であり、このため寝具が人体に合っているか否かは重要であり、特に枕に関しては、枕の主要な機能は頭部と頸部を支持し、頸部と背部に直線を形成させ、筋肉をリラックスさせ、並びに気道を塞がないことにある。このため枕の高さ、硬さ及び人体工学に符合した形状は人体にとって最も重要である。
【０００３】
科学分析によると、仰臥姿勢で睡眠する人の枕は約６−８ｃｍの高さの時、頸椎に対して比較的快適であり、側臥姿勢で睡眠する人は型外側のと頸部（頭部）側端により定まる。一般に人の睡眠習慣は寝返りにより側臥と仰臥の異なる姿勢を形成しうるため、図１に示されるような設計が提供されており、その枕１の二側には隆起部１２が形成されて枕１の中間に凹部１１（即ち仰臥時の人体の頭部が支持される比較的低い部分であり、寝返りを打った側臥時の頭部は隆起部の上に支持される）が形成されており、この二種類の高さで異なる寝姿時の身体前屈角度における頸椎を支持し、脳及び頸椎の重量を有効に分散する。しかし、このような周知の技術は以下のような欠点を有している。
１．凹部１１及び隆起部１２を長期に使用した後、徐々に密実して弾性疲労を形成し、もとの高さに回復不能となり、徐々に扁平となり、これにより脳及び頸椎を支持する角度が徐々に小さくなり、機能が弱くなる。
２．人体の頭の形には違いがあり、例えば一部の人の後頭部は比較的突出しており、このため支持が必要な前屈角度は小さい（例えば４ｃｍ以下の支持高さであれば、身体をまっすぐに支持できる）。この時、従来の技術の固定形態の凹部では適用できない。
３．人体の肩幅には違いがあり、このため支持が必要な前屈角度も異なる。このため固定形態の隆起部では全面的に適用できない。
４．枕が不当であると、頸椎付近の筋肉にねじれ、麻痺や疼痛を発生し、更には頸部が回りにくくなり、いわゆる「寝違え」現象が発生する。
５．従来の技術は使用者が適時に必要な高さに調整できない。
【発明の開示】
【発明が解決しようとする課題】
【０００４】
従来の技術の欠点を鑑み、本発明はそれを改善した一種の枕を提供することを目的とする。本発明の枕は、第１枕体及び一組の相互に対称な第２枕体を包含し、第１枕体の底部或いは上部に少なくとも一つの調節パッドが設けられ、第１枕体の高さ調節に用いられる。これにより第１枕体をある期間使用した後に、該調節パッドの数量と放置状態により第１枕体の高さ状態を改変でき、これにより側臥と仰臥の習慣の使用者に、枕の高さを調節する作用を提供する。また日々陥没し、硬くなった第１枕体に対して、高さを改善し交換する作用を有する。
【０００５】
本発明を実施する時は、第１枕体の各調節パッドの全体を、従来の枕と同じ高さに設けるか、或いは人体の個別体型と睡眠習慣により、数片の調節パッドを選択し、これにより第１枕体の総合高さを従来の技術の枕より低くし、これにより人体工学に符合し、最良の睡眠状態と十分な休息を提供できるものとする。
【０００６】
更に、第１枕体と第２枕体が長期の使用で押しつぶされ、材質が密実となり弾性疲労を発生した時、調節パッドの補助により、それに良好な高さを維持させることができるものとする。
【０００７】
本発明の更なる実施例では、側臥時を考慮し、第２枕体の底部或いは上部に少なくとも一つの調節パッドを設けて、第２枕体の高さを調節できるものとする。
【課題を解決するための手段】
【０００８】
請求項１の発明は、枕において、
第１枕体の高さを調節するための少なくとも一つの調節パッドが設けられた第１枕体と、
該第１枕体の対称な二側に設けられて底部に少なくとも一つの調節パッドが設けられた二つの第２枕体と、
該第１枕体と該第２枕体を包囲固定し、スライドファスナーで開閉自在とされた枕カバーと、
を包含したことを特徴とする、枕としている。
請求項２の発明は、請求項１記載の枕において、第１枕体の調節パッドが第１枕体の底部に設けられたことを特徴とする、枕としている。
請求項３の発明は、請求項１記載の枕において、第１枕体の調節パッドが第１枕体の上部に設けられたことを特徴とする、枕としている。
請求項４の発明は、請求項１記載の枕において、第２枕体の調節パッドに、二側において異なる数量の調節パッドが設けられたことを特徴とする、枕としている。
【発明の効果】
【０００９】
１．第１枕体と第２枕体の底部或いは上部に少なくとも一つの調節パッドが設けられ、第１枕体と第２枕体の高さを調節でき、第１枕体と第２枕体が長期に使用して密実となり、弾性疲労を発生した時、調節パッドの補助により、それに良好な高さを維持させられる。
２．第１枕体と第２枕体の底部或いは上部に少なくとも一つの調節パッドが設けられ、第１枕体と第２枕体の高さを調節でき、人体工学に符合し、側臥者或いは仰臥者の頸椎の身体前屈角度に対応し、良好に脳と頸椎の重量を分散し、寝違えによる筋肉の疼痛と不快感を減らすことができる。
３．良好な睡眠品質を提供し、これにより使用者の健康に寄与し、すっきりとした寝覚めを提供する。
【発明を実施するための最良の形態】
【００１０】
図２と図３に示されるように、本発明の枕２は、
第１枕体２１であって、該第１枕体２１は靱性を有する発泡材料で形成され、底部或いは上部に少なくとも一つの調節パッド２１１が設けられて第１枕体の高さを調節するのに供されるが、ただし、第１枕体２１に調節パッド２１１を加えた後の高さは人体に適用されるものとされる、上記第１枕体２１と、
一組の相互に対称な第２枕体２２であって、この一組（二つ）の第２枕体２２は、実施時には第１枕体２１と分離可能で、第１枕体２１の対称な二側（左右）に設けられ、且つ第２枕体２２の底部に実施時に、図７のように、少なくとも一つの調節パッド２２１を設置可能であり、且つ第１枕体２１の上方に凹部を形成させ、これにより二つの第２枕体２２に調節パッド２２１を加えるか否かに関わらず、図３のように、第２枕体２２を加えた後の高さが第１枕体２１より高くなる、上記一組の相互に対称な第２枕体２２と、
枕カバー２３であって、図４に示されるように、第１枕体２１と第２枕体２２、及び各調節パッド２１１、２２１は分離可能であるため、枕カバー２３により、第１枕体２１と第２枕体２２及び各調節パッド２１１、２２１の外部を包囲固定し、且つ該枕カバー２３はスライドファスナー２３１で開閉可能とされる、上記枕カバー２３と、
を包含する。
【００１１】
図５と図６は、それぞれ仰臥者と側臥者が本発明の枕を使用する状態を示す。図５のように、仰臥時の身体の平直に必要な支持角度は比較的小さく、このため枕の第１枕体２１上に支持され、高過ぎる或いは低過ぎる時は、調節パッド２１１の増減により高さを調整できる。
【００１２】
図６に示されるように、側臥時の身体の平直に必要な支持角度は比較的大きく、このため寝返りして側臥する時、頭部は比較的高い第２枕体２２の上に支持され、第２枕体２２が高過ぎる或いは低過ぎる時は、図７のように、調節パッド２２１の数量を増減することで高さを調節する。
【００１３】
図８のように、少数の人は左右の肩幅が異なる。ゆえに本発明では二側の第２枕体２２も左右の調節パッド２２１を異なる数量とすることでそれぞれ高さ調節が行えるものとされ、これにより左右の第２枕体２２を異なる高さとすることができ、左右の肩幅が異なる使用者にも適用される。
【００１４】
このため本発明は人体の形態の違い、及び寝姿、及び個人の必要な高さの違いに対応し、異なる使用者の要求を満足させることができる。
【００１５】
本発明は第１枕体２１と第２枕体２２に対して使用者が任意に調節パッドの数量を調節することで、異なる体型の使用者に符合させることができる。
【図面の簡単な説明】
【００１６】
【図１】従来の技術の立体図である。
【図２】本発明の第１枕体に比較的多くの調節パッドを設けた実施例の立体分解図である。
【図３】本発明の第１枕体に比較的少ない調節パッドを設けた実施例の立体分解図である。
【図４】本発明の枕カバーを加えた立体図である。
【図５】本発明の仰臥姿勢での使用状態表示図である。
【図６】本発明の側臥姿勢での使用状態表示図である。
【図７】本発明の第２枕体底部に調節パッドを設けた実施例の立体分解図である。
【図８】本発明の左右の第２枕体底部に異なる数量の調節パッドを設けた実施例の立体分解図である。
【符号の説明】
【００１７】
１  枕
１１  凹部
１２  隆起部
２  枕
２１  第１枕体
２１１  調節パッド
２２  第２枕体
２２１  調節パッド
２３  枕カバー
２３１  スライドファスナー
【図１】
2007000397.tif 000003
【図２】
2007000397.tif 000004
【図３】
2007000397.tif 000005
【図４】
2007000397.tif 000006
【図５】
2007000397.tif 000007
【図６】
2007000397.tif 000008
【図７】
2007000397.tif 000009
【図８】
2007000397.tif 000010